(57)【特許請求の範囲】
【請求項１】
複数のＯＡＤＭノードとそれらを接続する伝送路から構成されるＷＤＭネットワークの転送システムにおいて、所定のＯＡＤＭノードから、他の異なる第１又は第２のＯＡＤＭノードへ前記伝送路を介して各々データを転送するデータ信号転送方法であり、
同一波長の光によって前記第１又は第２の各ＯＡＤＭノードに前記データが至ったとき、各々のＯＡＤＭノードで前記データを取り込むように予め初期設定し、
前記第１のＯＡＤＭノードの光交換手段の入出力間の光学的な接続をクロス接続にするか或いはパラレル接続にするかによって、前記第１及び第２のＯＡＤＭノードのうち、前記光交換手段の入力部に入力する前記データを取り込むＯＡＤＭノードを設定し、
設定された前記ＯＡＤＭノードによって前記所定のＯＡＤＭノードから転送される前記データを取り込むことを特徴とするデータ信号転送方法。
【請求項２】
複数のＯＡＤＭノードとそれらを接続する伝送路から構成されるＷＤＭネットワークの転送システムにおいて、所定の送信側ＯＡＤＭノードから、他の異なる選択された複数の受信側ＯＡＤＭノードへ各々データを転送するデータ信号転送方法であり、
同一波長の光によって、前記選択された複数の受信側ＯＡＤＭノードの各ＯＡＤＭノードに前記データが至ったとき、各々のＯＡＤＭノードで前記データを取り込むように予め初期設定し、
データ取り込みの切替えが行なわれる１対の受信側ＯＡＤＭノードのうち、前記送信ＯＡＤＭノードに対して送信経路のより近い方の受信側ＯＡＤＭノードの光交換手段の入出力間の光学的な接続をクロス接続にするか或いはパラレル接続にするかによって、前記１対の受信側ＯＡＤＭノードの、前記光交換手段の入力部に入力する前記データを取り込むＯＡＤＭノードを切替えることを特徴とするデータ信号転送方法。
【請求項３】
前記１対の受信側ＯＡＤＭノードが、信号を通過させるように設定されている他のＯＡＤＭノードを除いた場合、前記受信経路上で互いに隣接することを特徴とする請求項２記載のデータ信号転送方法。
【発明の詳細な説明】
【０００１】
【発明の属する技術分野】
本発明は、信号転送方法に関し、特に、ＯＡＤＭ（Optical Add-Drop Multiplexer）ノードとリンクとから構成されるＷＤＭ（Wavelength Division Multiplex）ネットワークにおける信号転送方法に関する。
【０００２】
【従来の技術】
従来、複数のＯＡＤＭノードとリンクとにより構成されるＷＤＭネットワークにおいて、信号を転送する方法として送信ノードと受信ノード間に光パスを張り、光パスを用いてデータの転送を行なう方法が検討されている。
【０００３】
図８は、その一例の構成を示すブロック図で、第１ノード５１、第２ノード５２、及び第３ノード５３による転送システム５０において、第１ノード５１と第２ノード５２間に波長λ１で第１光パス５４を設定し、第１ノード５１と第３ノード５３間に波長λ２で第２光パス５５を形成する。そして、第１ノード５１から第２ノード５２へデータを転送する場合には第１光パス５４を用い、第１ノード５１から第３ノード５３へデータを転送する場合には第２光パス５５を用いてそれぞれデータを転送する。
【０００４】
また、別の転送方法として図８に示す第１光パス５４と第２光パス５５とを、同一の波長λで形成する方法がある。この方法では、例えば、第１ノード５１と第２ノード５２間に波長λで第１の光パス５４が設定されている状態から、第１ノード５１と第３ノード５３間に同一の波長λで第２光パス５５を設定する場合、先ず、第１光パス５４を解除し、その後第２光パス５５を設定する必要がある。  図９は、このデータ転送方法による接続タイミングを時系列的に示した動作図であり、同動作図を参照しながら、このデータ転送方法について更に説明する。  尚、同図の矢印ｔ方向は、時間の経過方向を示している。
【０００５】
図９の動作図は、すでに第２光パス５５（図８）が設定されており、第１ノード５１から第３ノード５３にデータＤ（５１−５３）が転送されている状態から始まっている。その後、データ転送先を切替えて、第１ノード５１から第２ノード５２にデータＤ（５１−５２）を転送するために、以下の過程が実行される。・第１ノード５１が、自から第２光パス５５を解除する設定を行ない、第３ノード５３に第２光パス５５の解除要求信号ＲＥＭ（５１−５３）を転送する過程
・第３ノード５３が、この解除要求信号ＲＥＭ（５１−５３）を受け、第２光パス５５を解除する設定を行ない、その完了を示す確認信号ＡＣＫ（５３−５１）を第１ノード５１に返送する過程
・第１ノード５１が、第３ノード５３からこの確認信号ＡＣＫ（５３−５１）を受信し、第１の光パス５４の設定を要求するためのパス設定信号ＳＥＴ（５１−５２）を第２ノード５２に転送する過程
・第２ノード５２が、第１ノード５１からこのパス設定信号ＳＥＴ（５１−５２）を受信し、第１の光パス５４を設定した後、その完了を示す確認信号ＡＣＫ（５２−５１）を第１ノード５１に返送する過程
・第１ノード５１が、第２ノード５２からこの確認信号ＡＣＫ（５２−５１）を受け、第１パス５４を設定してデータＤ（５１−５２）を転送する過程
以上の過程を経て上記したデータの転送先の切替えが行なわれる。更にその後、第１ノード５１から第３ノード５３への新たなデータ転送の切替えを実施する場合には、同様にして、解除要求信号ＲＥＭ（５１−５２）と確認信号ＡＣＫ（５２−５１）とによって第１パス５４を解除し、パス設定信号ＳＥＴ（５１−５３）と確認信号ＡＣＫ（５３−５１）とによって再び第２パス５５を設定して実行する。
【０００６】
【発明が解決しようとする課題】
以上の方法のうち、複数のノード間に各々波長の異なる光パスを形成する場合には、複数の波長の光が必要となるが、複数波長の光が用意できない場合がある。更には、光の識別のためのフィルタが多数必要となるなど、構成が複雑化する不都合があった。
【０００７】
一方、上記した方法のうち、同一波長の光で複数のノードにデータを転送する場合には、パスの設定及び解除を司令する信号とその実行を確認するための確認信号とを、光パスの切替えの度に往来させなければならないため、転送先の切替えに時間がかかった。また、この切替えの間は、データの転送が行なえないために、データ転送の時間効率を改善するのが難しかった。
【０００８】
本発明の目的は、これらの問題点を解消し、同一波長の光で選択的に複数のノードにデータ転送する場合でも、ノード切替え時間を短縮し、データ転送時の時間効率の優れた信号転送方法を提供することにある。
【０００９】
【課題を解決するための手段】
本発明によるデータ信号転送方法は、複数のＯＡＤＭノードとそれらを接続する伝送路から構成されるＷＤＭネットワークの転送システムにおいて、所定のＯＡＤＭノードから、他の異なる第１又は第２のＯＡＤＭノードへ前記伝送路を介して各々データを転送するデータ信号転送方法であり、
同一波長の光によって前記第１又は第２の各ＯＡＤＭノードに前記データが至ったとき、各々のＯＡＤＭノードで前記データを取り込むように予め初期設定し、前記第１のＯＡＤＭノードの光交換手段の入出力間の光学的な接続をクロス接続にするか或いはパラレル接続にするかによって、前記第１及び第２のＯＡＤＭノードのうち、前記光交換手段の入力部に入力する前記データを取り込むＯＡＤＭノードを設定し、
設定された前記ＯＡＤＭノードによって前記所定のＯＡＤＭノードから転送される前記データを取り込むことを特徴とする。
【００１０】
本発明による別のデータ信号転送方法は、複数のＯＡＤＭノードとそれらを接続する伝送路から構成されるＷＤＭネットワークの転送システムにおいて、所定の送信側ＯＡＤＭノードから、他の異なる選択された複数の受信側ＯＡＤＭノードへ各々データを転送するデータ信号転送方法であり、
同一波長の光によって、前記選択された複数の受信側ＯＡＤＭノードの各ＯＡＤＭノードに前記データが至ったとき、各々のＯＡＤＭノードで前記データを取り込むように予め初期設定し、データ取り込みの切替えが行なわれる１対の受信側ＯＡＤＭノードのうち、前記送信ＯＡＤＭノードに対して送信経路のより近い方の受信側ＯＡＤＭノードの光交換手段の入出力間の光学的な接続をクロス接続にするか或いはパラレル接続にするかによって、前記１対の受信側ＯＡＤＭノードの、前記光交換手段の入力部に入力する前記データを取り込むＯＡＤＭノードを切替えることを特徴とする。
【００１１】
【発明の実施の形態】
実施の形態１．
図１は、本発明方法を実行するための実施の形態１の転送システムの構成を示す構成図である。
【００１２】
同図に示すシステム１は、複数のノードが伝送路を介して繋がれた構成をしており、同図には伝送路５，６によって繋がれた３つのノード２，３，４が示されている。
【００１３】
ノード２の第１バッファ２ａと第２バッファ２ｂとは、それぞれ他のノードに転送するための送信データを保存し、各出力部がデータ送出制御手段２ｃの入力部に接続されている。データ送出制御手段２ｃは、その出力部が電気／光変換手段２ｅの入力部に接続され、電気／光変換手段２ｅの出力部は、２つの入力部と２つの出力部を有する光交換手段２ｇの一方の入力部に接続されている。光交換手段２ｇは、その一方の出力部が光／電気変換手段２ｆの入力部に、そして他方の出力部が多重手段２ｉを通して伝送路５に接続されている。光／電気変換手段２ｆの出力部は、受信信号制御手段２ｄの入力部に接続されている。
【００１４】
伝送路５は、ノード３の分離手段３ｈを通して同じくノード３の光交換手段３ｇの他方の入力部に接続されている。この光交換手段３ｇは、その一方の出力部が光／電気変換手段３ｆの入力部に、そして他方の出力部が多重手段３ｉを通して伝送路６に接続されている。光／電気変換手段３ｆの出力部は、受信信号制御手段３ｄの入力部に接続されている。ノード３の他の構成部である第１バファ３ａ、第２バッファ３ｂ、データ送出制御手段３ｃ、及び電気／光変換手段３ｅは、それぞれノード１と同様に接続されている。
【００１５】
伝送路６は、ノード４の分離手段４ｈを通して同じくノード４の光交換手段４ｇの他方の入力部に接続されている。この光交換手段４ｇは、その一方の出力部が光／電気変換手段４ｆの入力部に、そして他方の出力部が多重手段４ｉを通して伝送路７に接続されている。光／電気変換手段４ｆの出力部は、受信信号制御手段４ｄの入力部に接続されている。ノード４の他の構成部である第１バファ４ａ、第２バッファ４ｂ、データ送出制御手段４ｃ、及び電気／光変換手段４ｅは、ノード１と同様に接続されている。
【００１６】
光交換手段２ｇ，３ｇ，４ｇは、２つの入力部と２つの出力部の光学的な接続を後述するクロス状態、或いはパラレル状態に設定し、光路の選択的な設定を可能とするものである。
【００１７】
以上の構成において、同一波長の光を使用し、ノード２からノード３或いはノード４に、データを転送する際の動作について説明する。図２のフローチャートは、送信側のノード２から受信側のノード３，４にデータが送られるまでの各ノードの初期設定の流れを示している。
【００１８】
この初期設定では、先ず送信側ノード２から、受信側ノード３とノード４とにデータ受信設定要求信号ＳＥＴが送られる（ステップ１）。ノード３とノード４とは、この信号を受けて、共に自ノードにデータが取り込めるように各光交換手段３ｇ，４ｇをクロス状態とする。このクロス設定によって、各ノード３，４の入力側分離手段３ｈ及び４ｈの各々の出力部と各ノードの光／電気変換手段３ｆ及び４ｆとが光学的に接続される。そして更に各ノードの受信信号制御手段３ｄ及びｄ４に対し、入力した信号が取り込めるように設定する（ステップ２）。受信側ノード３，４は、これらの設定が終了した段階で各々送信側ノード２へ確認信号ＡＣＫを返送するステップ（ステップ３）。
【００１９】
送信側ノード２（図１）では、データを転送する前に、ノード３に転送する送信データを第１バッファ２ａに保存し、ノード４に転送する送信データを第２バッファ２ｂに保存しておく。そして、これらのデータを転送するために、電気／光変換手段２ｅと出力側多重手段２ｉとが光学的に接続されるように光交換手段２ｇをクロス設定する（ステップ４）。
【００２０】
以上の初期設定が終了した段階で、ノード２は、データ送出制御手段２ｃの制御により第１バッファ２ａのデータを伝送路５に送出する。このとき出力されたデータは、ノード３の光交換手段３ｇ、及び光／電気変換手段３ｆを経由して受信信号制御手段３ｄに到達する。
【００２１】
尚、前記したように、ノード３では、このデータを受ける以前に、ノード２から受けたデータ受信設定要求信号ＳＥＴにより、受信信号制御手段３ｄがノード２からのデータを受信できるように設定されているため、ノード２からのデータが受信できる。
【００２２】
次に、送信側ノード２がデータの送信先をノード３からノード４へ切替える場合、データ送出制御手段２ｃの制御により、ノード３へのデータ送出を一旦停止し、ノード３に対して光交換手段３ｇの接続状態を切替えるための切替え要求信号ＣＨＡＢを転送する。ノード３は、この切替え要求信号ＣＨＡＢを受け、光交換手段３ｇをパラレル状態に切替えた後、確認信号ＡＣＫを返送する。このパラレル設定によって、ノード３の入力側分離手段３ｈの出力部と出力側多重手段３ｉの入力部とが光学的に接続され、これによりノード３は伝送路５と伝送路６とを光学的に接続する接続手段となる。
【００２３】
ノード２は、ノード３からの確認信号ＡＣＫを受信すると、データ送出制御手段２ｃの制御により、第２バッファ２ｂのデータを出力する。この出力されたデータは、伝送路５、ノード３、伝送路６を経由してノード４の入信信号制御手段４ｄに入力される。
【００２４】
尚、ノード４では、前記したように初期設定時においてノード２から受けたデータ受信設定要求信号ＳＥＴにより、受信信号制御手段４ｄが伝送路６から入力したデータを受信できるように設定されているため、このときノード２から出力されるデータが受信できる。
【００２５】
図３は、更に引き続いて行なわれるデータ転送の接続タイミングを時系列的に示した動作図であり、この動作図を参照しながらこのデータ転送方法について更に説明する。尚、同図の矢印ｔ方向は、時間の経過方向を示している。
【００２６】
図３の動作図には、その後、ノード２からのデータの転送先がノード３に切替わり、更にその後、再びノード４に切替わる経過が示されている。これらデータ転送は、以下の過程により実行される。（図１参照）
・ノード２が、データ送出制御手段２ｃの制御により、ノード４へのデータ送出を一旦停止し、ノード３へ、その光交換手段３ｇをクロス状態とするよう要求する切替え要求信号ＣＨＡＡ（２−３）を転送する過程
・ノード３が、この切替え要求信号ＣＨＡＡ（２−３）を受け、その光交換手段３ｇをクロス状態に設定した後、その完了を示す確認信号ＡＣＫ（３−２）をノード２に返送する過程
・ノード２が、ノード３からこの確認信号ＡＣＫ（３−２）を受信し、データ送出制御手段２ｃの制御により第１バッファ２ａのデータを出力し、このデータＤ（２−３）がノード３の受信信号制御手段３ｄに入力される過程
・ノード２が、データ送出制御手段２ｃの制御により、ノード３へのデータ送出を一旦停止し、ノード３へ、その光交換手段３ｇをパラレル状態とするよう要求する切替え要求信号ＣＨＡＢ（２−３）を転送する過程
・ノード３が、この切替え要求信号ＣＨＡＢ（２−３）を受け、その光交換手段３ｇをパラレル状態に設定した後、その完了を示す確認信号ＡＣＫ（３−２）をノード２に返送する過程
・ノード２が、ノード３からこの確認信号ＡＣＫ（３−２）を受信し、データ送出制御手段２ｃの制御により第１バッファ２ａのデータを出力し、このデータＤ（２−４）がノード４の受信信号制御手段４ｄに入力される過程
以上の過程を経て上記したデータの転送先の切替えが行なわれる。
【００２７】
以上のような、本発明方法による実施の形態１の転送システムによれば、同一波長の光で、所定の送信側ノード２から他の２つの受信側ノード３，４にデータを転送すべく、各ノード間の光パスの設定と解除を行なう場合、中間に位置するノード３の光交換手段３ｇの設定を変えるだけで実行できるため、１回の制御信号の往復で切替えが完了でき、切替え時間の短縮が図れる。
実施の形態２．
図４は、本発明方法を実行するための実施の形態２の転送システムで使用するノードの内部構成を示す構成図である。
このノード１１の構成において、前記したノード２，３，４と異なる点は、データ送出制御手段１１ｃに、新たに第３バッファ１１ｊが追加されて、３つのバッファが接続されている点である。その他の構成は、前記したノード２，３，４と共通するため、それらの詳細な説明を省略する。
【００２８】
図５は、本発明方法を実行するための実施の形態２の転送システムを示す概略構成図で、図４に示すノード１１に続いて、同構成のノード１２乃至１８が伝送路２０乃至２７を介してリング状に接続された構成を有している。
【００２９】
以上のように構成された転送システム１０において、その動作を説明する。  図６の動作図は、転送システム１０（図５）において、同一波長λの光を用いてノード１１から、ノード１２、ノード１５、及びノード１７へデータを転送する際の一経過例を示している。
【００３０】
送信側ノード１１は、図４に示すように３つのバッファ１１ａ，１１ｂ，１１ｊを有しており、第１バッファ１１ａにはノード１２宛てのデータが、第２バッファ１１ｂにはノード１５宛てのデータが、そして第３バッファ１１ｊにはノード１７宛てのデータがそれぞれ保持されている。
【００３１】
また送信側ノード１１は、受信側の各ノード１２，１５，１７にデータを転送する際の初期設定として、前記したように先ずノード１２，１５，１７にデータ受信設定要求信号ＳＥＴを送ると共に、自ノードの光交換手段１１ｇをクロス状態に設定して各バッファに保持されたデータが伝送路２０から出力されるようにする。
【００３２】
一方、データ受信設定要求信号ＳＥＴを受信した受信側の各ノード１２，１５，１７は、各々自ノードにデータが取り込めるように各光交換手段と各受信信号制御手段とを初期設定する。更に、受信側の各ノードは、これらの初期設定が終了した段階で、その設定完了を知らせる確認信号ＡＣＫを送信側ノード１１に返送する。これらの初期設定は、図２のフローチャートに示した前期実施の形態１の転送システムの初期設定と基本的に同じ内容となっている。
【００３３】
図７は、以上の初期設定が行なわれた段階での各ノードの光交換手段の接続状態を示す概略構成図である。同図に示すように、ノード１１の光交換手段１１ｇは、データ送出制御手段１１ｃから送られるデータが出力側多重手段１１ｉを介して出力されるようにクロス状態とされる。
【００３４】
一方、受信側の各ノード１２，１５，１７のそれぞれの光交換手段１２ｇ，１５ｇ，１７ｇは、入力するデータが自ノードの受信信号制御手段１２ｄ，１５ｄ，１７ｄにそれぞれ取り込めるようにクロス状態とされる。更に、他のノード１３，１４，１６の各光交換手段１３ｇ，１４ｇ，１６ｇは、入力したデータがそのままパスできるようにパラレル状態とされる。
【００３５】
次に、以上の初期設定の後に行なわれるデータと制御信号の送受信手順について、図６の動作図を参照しながら説明する。尚、同図の矢印ｔ方向は、時間の経過方向を示している。
【００３６】
先ず、送信側ノード１１が受信側ノード１２にデータを転送する場合、ノード１２の光交換手段１２ｇが初期状態としてクロス状態となっているため（図７）、データ送出制御手段１１ｃによってバッファ１１ａ（図４）に保持されているデータＤ（１１−１２）を送出すればよい。
【００３７】
次に、送信側ノード１１が受信側ノード１５にデータを転送する場合、先ずデータ送出制御手段１１ｃによってバッファ１１ａからのデータ送出を一時停止し、ノード１２に対して光交換手段１２ｇをパラレル状態とするよう要求する切替え要求信号ＣＨＡＢ（１１−１２）を送出する。ノード１２は、この要求信号を受けてその光交換手段１２ｇをパラレル状態として確認信号ＡＣＫ（１２−１１）を返送する。
【００３８】
ノード１１は、この確認信号ＡＣＫ（１２−１１）を受信すると、データ送出制御手段１１ｃによってバッファ１１ｂ（図４）に保持されているデータＤ（１１−１５）を伝送路２０に送出する。この際、送出されたデータＤ（１１−１５）は、ノード１２、ノード１３、ノード１４を通ってノード１５に届く。ノード１５では、光交換手段１５ｇがクロス状態に設定されているため、データＤ（１１−１５）がその光／電気変換手段１５ｆで受信されて受信信号制御手段１５ｄに引き渡される。
【００３９】
次に、送信側ノード１１が受信側ノード１７にデータを転送する場合、先ずデータ送出制御手段１１ｃによってバッファ１１ｂからのデータ送出を一時停止し、ノード１５に対して光交換手段１５ｇをパラレル状態とするよう要求する切替え要求信号ＣＨＡＢ（１１−１５）を送出する。ノード１５は、この要求信号を受けてその光交換手段１５ｇをパラレル状態として確認信号ＡＣＫ（１５−１１）を返送する。
【００４０】
ノード１１は、この確認信号ＡＣＫ（１５−１１）を受信すると、データ送出制御手段１１ｃによってバッファ１１ｊ（図４）に保持されているデータＤ（１１−１７）を伝送路２０に送出する。この際、送出されたデータは、ノード１２、ノード１３、ノード１４、ノード１５、ノード１６を通ってノード１７に届く。ノード１７では、光交換手段１７ｇがクロス状態に設定されているため、データＤ（１１−１７）がその光／電気変換手段１７ｆで受信されて受信信号制御手段１７ｄに引き渡される。
【００４１】
次に、送信側ノード１１が再び受信側ノード１５にデータを転送する場合、先ずデータ送出制御手段１１ｃによってバッファ１１ｊからのデータ送出を一時停止し、ノード１５に対して光交換手段１５ｇをクロス状態とするよう要求する切替え要求信号ＣＨＡＡ（１１−１５）を送出する。ノード１５は、この要求信号を受けてその光交換手段１５ｇをクロス状態として確認信号ＡＣＫ（１５−１１）を返送する。
【００４２】
ノード１１は、この確認信号ＡＣＫ（１５−１１）を受信すると、データ送出制御手段１１ｃによってバッファ１１ｂ（図４）に保持されているデータＤ（１１−１５）を伝送路２０に送出する。この際、送出されたデータは、ノード１２、ノード１３、ノード１４を通ってノード１５に届く。ノード１５では、光交換手段１５ｇがクロス状態に設定されているため、データＤ（１１−１５）がその光／電気変換手段１５ｆで受信されて受信信号制御手段１５ｄに引き渡される。
【００４３】
次に、送信側ノード１１が再び受信側ノード１２にデータを転送する場合、先ずデータ送出制御手段１１ｃによってバッファ１１ｂからのデータ送出を一時停止し、ノード１２に対して光交換手段をクロス状態とするよう要求する切替え要求信号ＣＨＡＡ（１１−１２）を送出する。ノード１２は、この要求信号を受けてその光交換手段１２ｇをクロス状態として確認信号ＡＣＫ（１２−１１）を返送する。
【００４４】
ノード１１は、この確認信号ＡＣＫ（１２−１１）を受信すると、データ送出制御手段１１ｃによってバッファ１１ａ（図４）に保持されているデータを伝送路２０に送出する。この際、送出されたデータＤ（１１−１２）は、ノード１２の光交換手段１２ｇがクロス状態に設定されているため、ノード１２に届いた段階でその光／電気変換手段１２ｆで受信され、受信信号制御手段１２ｄに引き渡される。このとき、転送システム１０は、初期設定の状態に戻っている。
【００４５】
以上のような、本発明方法による実施の形態２の転送システムによれば、送信側のノードから複数の受信側の各ノードに順次データを転送する際に、送信経路の近いノードから遠いノードに、そして遠いノードから近いノードに順次転送する構成となっている。このように、信号を通過させるように設定されている他ノードを除いた場合に、受信経路上で互いに隣接する１対のノードのうち、常に送信側ノードに近い方のノードとの間で、切替えのための制御信号を往復させるだけで転送ノードの切替えが可能となる。
【００４６】
尚、前記実施の形態では、同一波長の光のみを用いて、転送システムを構成したが、異なる波長の光を用いてもよい。例えば、実施の形態１のノード３（図１）に波長変換機能を持たせ、伝送路５と伝送路６とで波長の異なる光が使用されてもよい。
【００４７】
また、実施の形態２では、転送先ノードの数を３で説明したがこれに限定されるものではなく、より多くのノードに転送するように構成してもよい。
【００４８】
更に、実施の形態２では、送出先ノードの切替え順序をノード１２→ノード１５→ノード１７→ノード１５→ノード１２の順としたが、これに限定されるものではない。例えばノード１２→ノード１５→ノード１７→ノード１２→ノード１７→ノード１５→ノード１２の順など、１つの光交換手段の状態を切替えるだけで受信側ノードを切替えることができる順序であれば、いかなる順序でもかまわない。
【００４９】
【発明の効果】
本発明の方法によれば、同一波長の光を用いて複数の転送先のノードへデータの転送設定と解除とを行なう際に、１回の制御信号のやり取りで転送先ノードの変更ができ、従来の手続きに比べて変更過程が簡素となる。このため、短時間で転送先ノードの変更ができ、この間のデータ転送不可の時間が短縮され、その分データの転送効率を上げることができる。
【００５０】
また、切替えが行なわれる１対の受信側ノードのうち、常に送信側のノードに送信経路の近い方の受信ノードにのみ切替えのための制御信号を送ればよいので、送信経路の物理的距離を短くすることができる。このため、より短時間に転送先ノードの切替えを行なうことが可能となり、より効率的に同一波長の光によって複数の受信ノードにデータを転送することができる。
【図面の簡単な説明】
【図１】  本発明方法を実行するための実施の形態１の転送システムの構成を示す構成図である。
【図２】  送信側のノード２から受信側のノード３，４にデータが送られるまでの各ノードの初期設定の流れを示すフローチャートである。
【図３】  実施の形態１の転送システムによる接続タイミングを時系列的に示した動作図である。
【図４】  本発明方法を実行するための実施の形態２の転送システムで使用するノードの内部構成を示す構成図である。
【図５】  本発明方法を実行するための実施の形態２の転送システムを示す概略構成図である。
【図６】  実施の形態２の転送システムによる接続タイミングを時系列的に示した動作図である。
【図７】  初期設定が行なわれた段階での各ノードの光交換手段の接続状態を示す概略構成図である。
【図８】  従来の信号転送方式の一例を示す転送システムのブロック図である。
【図９】  従来の信号転送方式を説明するための動作図である。
【符号の説明】
１，１０  転送システム、  ２，３，４，１１，１２，１３，１４，１５，１６，１７  ノード、  ２ａ，３ａ，４ａ  第１バッファ、  ２ｂ，３ｂ，４ｂ  第２バッファ、  ２ｃ，３ｃ，４ｃ，１１ｃ  データ送出制御手段、  ２ｄ，３ｄ，４ｄ，１２ｄ，１３ｄ，１４ｄ，１５，１６ｄ，１７ｄ  受信信号制御手段、  ２ｅ，３ｅ，４ｅ，１１ｅ  電気／光変換手段、  ２ｆ，３ｆ，４ｆ，１２ｆ，１３ｆ，１４ｆ，１５ｆ，１６ｆ，１７ｆ  光／電気変換手段、  ２ｇ，３ｇ，４ｇ，１１ｇ，１２ｇ，１３ｇ，１４ｇ，１５ｇ，１６ｇ，１７ｇ  光交換手段、  ２ｈ，３ｈ，４ｈ，１１ｈ，１２ｈ，１３ｈ，１４ｈ，１５ｈ，１６ｈ，１７ｈ  分離手段、  ２ｉ，３ｉ，４ｉ，１１ｉ，１２ｉ，１３ｉ，１４ｉ，１５ｉ，１６ｉ，１７ｉ  多重手段、  ５，６，７，２１，２２，２３，２４，２５，２６，２７  伝送路。
【図１】
0004114308.tif 000002
【図２】
0004114308.tif 000003
【図３】
0004114308.tif 000004
【図４】
0004114308.tif 000005
【図５】
0004114308.tif 000006
【図６】
0004114308.tif 000007
【図７】
0004114308.tif 000008
【図８】
0004114308.tif 000009
【図９】
0004114308.tif 000010